(57)【要約】【課題】本発明は、天蓋の救出口を開放した際に、照明ユニットを救出口の真下の領域外へ容易に退避させることを目的とするものである。【解決手段】救出口干渉照明ユニット２１Ａは、取付台２２に取り付けられる基板３１と、基板３１に取り付けられている複数のＬＥＤ照明３２とを有している。基板３１の中央には、ユニット取付ネジ２６を通す一対のダルマ孔３１ａが設けられている。救出口干渉照明ユニット２１Ａは、ユニット取付ネジ２６を緩めて、基板３１を水平方向へ僅かにスライドさせ、ダルマ孔３１ａからユニット取付ネジ２６を抜くことにより、取付台２２から取り外し可能になっている。【選択図】図１
2014234291.tif 000002
【特許請求の範囲】
【請求項１】
天蓋に固定される取付台、及び
前記取付台に取り付けられる照明ユニット
を備え、
前記照明ユニットは、ユニット取付ネジにより前記取付台に取り付けられる基板と、前記基板に取り付けられている複数のＬＥＤ照明とを有しており、
前記基板には、前記ユニット取付ネジを通すダルマ孔が設けられており、
前記照明ユニットは、前記ユニット取付ネジを緩めて前記ダルマ孔から前記ユニット取付ネジを抜くことにより前記取付台から取り外し可能になっているエレベータのかご室照明装置。
【請求項２】
天蓋に固定される取付台、及び
前記取付台に取り付けられる照明ユニット
を備え、
前記照明ユニットは、前記取付台に取り付けられる基板と、前記基板に取り付けられている複数のＬＥＤ照明とを有しており、
前記基板は、前記取付台に取り付けられた状態のまま水平方向へスライド可能になっているエレベータのかご室照明装置。
【請求項３】
前記基板は、ユニット取付ネジにより前記取付台に取り付けられ、
前記基板には、前記ユニット取付ネジを通す長孔が設けられており、
前記照明ユニットは、前記ユニット取付ネジを緩めることにより、前記長孔に沿ってスライド可能となる請求項２記載のエレベータのかご室照明装置。
【請求項４】
天蓋に固定される取付台、及び
前記取付台に取り付けられる照明ユニット
を備え、
前記照明ユニットは、第１及び第２のユニット取付ネジにより前記取付台に取り付けられる基板と、前記基板に取り付けられている複数のＬＥＤ照明とを有しており、
前記基板は、基板主部と、前記基板主部に回動可能に連結されている基板回動部とを有しており、
前記基板主部には、前記第１のユニット取付ネジを通す長孔が設けられており、
前記基板回動部には、前記第２のユニット取付ネジを通すダルマ孔が設けられており、
前記基板回動部は、前記第１及び第２のユニット取付ネジを緩めて、前記基板を前記長孔に沿って水平方向へスライドさせ、前記ダルマ孔から前記第２のユニット取付ネジを抜くことにより前記基板主部に対して回動可能となるエレベータのかご室照明装置。
【請求項５】
前記ＬＥＤ照明は、同一円周上に互いに間隔をおいて配置されている請求項１から請求項４までのいずれか１項に記載のエレベータのかご室照明装置。
【請求項６】
かご室本体、
前記かご室本体の上部に設けられており、非常時に乗客を救出するための救出口が設けられている天蓋、及び
前記天蓋に取り付けられている複数の照明ユニットを有しているかご室照明装置
を備え、
前記照明ユニットは、基板と、前記基板に取り付けられている複数のＬＥＤ照明とをそれぞれ有しており、
前記照明ユニットのうちの少なくとも１つは、前記救出口の真下の領域内に部分的に突出した救出口干渉照明ユニットであり、
前記救出口干渉照明ユニットは、ユニット取付ネジを用いて前記天蓋に対して固定されており、前記ユニット取付ネジを緩めるだけで前記天蓋から取り外し可能になっているエレベータのかご室。
【請求項７】
前記救出口干渉照明ユニットの前記基板には、前記ユニット取付ネジを通すダルマ孔が設けられており、
前記救出口干渉照明ユニットは、前記ユニット取付ネジを緩めて前記ダルマ孔から前記ユニット取付ネジを抜くことにより前記天蓋から取り外し可能になっている請求項６記載のエレベータのかご室。
【請求項８】
かご室本体、
前記かご室本体の上部に設けられており、非常時に乗客を救出するための救出口が設けられている天蓋、及び
前記天蓋に取り付けられている複数の照明ユニットを有しているかご室照明装置
を備え、
前記照明ユニットは、基板と、前記基板に取り付けられている複数のＬＥＤ照明とをそれぞれ有しており、
前記照明ユニットのうちの少なくとも１つは、前記救出口の真下の領域内に部分的に突出した救出口干渉照明ユニットであり、
前記救出口干渉照明ユニットは、前記領域内に突出した通常位置と、前記領域外に退避した退避位置との間で水平方向へスライド可能になっているエレベータのかご室。
【請求項９】
前記救出口干渉照明ユニットは、ユニット取付ネジを用いて前記天蓋に対して固定されており、
前記救出口干渉照明ユニットの前記基板には、前記ユニット取付ネジを通す長孔が設けられており、
前記救出口干渉照明ユニットは、前記ユニット取付ネジを緩めることにより、前記長孔に沿ってスライド可能となる請求項８記載のエレベータのかご室。
【請求項１０】
かご室本体、
前記かご室本体の上部に設けられており、非常時に乗客を救出するための救出口が設けられている天蓋、及び
前記天蓋に取り付けられている複数の照明ユニットを有しているかご室照明装置
を備え、
前記照明ユニットは、基板と、前記基板に取り付けられている複数のＬＥＤ照明とをそれぞれ有しており、
前記照明ユニットのうちの少なくとも１つは、前記救出口の真下の領域内に部分的に突出した救出口干渉照明ユニットであり、
前記救出口干渉照明ユニットの前記基板は、基板主部と、前記基板主部に回動可能に連結されており、かつ前記領域内に配置されている基板回動部とを有しており、
前記基板主部に対して前記基板回動部を回動させることにより、前記救出口干渉照明ユニットが前記領域外に退避されるエレベータのかご室。
【請求項１１】
前記救出口干渉照明ユニットは、前記基板回動部を前記領域内で水平に保持する保持具を有しており、
前記基板回動部は、前記保持具による保持を解除することにより、前記基板主部に対して回動可能となる請求項１０記載のエレベータのかご室。
【請求項１２】
前記救出口干渉照明ユニットは、前記保持具としてのユニット取付ネジを用いて前記天蓋に対して固定されており、
前記基板回動部には、前記ユニット取付ネジを通すダルマ孔が設けられており、
前記基板回動部は、前記ユニット取付ネジを緩めて前記ダルマ孔から前記ユニット取付ネジを抜くことにより前記基板主部に対して回動可能となる請求項１１記載のエレベータのかご室。
【発明の詳細な説明】
【技術分野】
【０００１】
この発明は、天蓋に救出口が設けられているエレベータのかご室、及びかご室の天蓋に設けられているかご室照明装置に関するものである。
【背景技術】
【０００２】
従来のエレベータのかご室照明装置では、かご室の天蓋に複数の蛍光灯が互いに間隔をおいて設けられている。蛍光灯の下方には、蛍光灯からの照明光を透過する複数の照明板が水平に配置されている。照明板は、アクリル等の合成樹脂で構成されており、天蓋に連結された吊り板により支持されている（例えば、特許文献１参照）。
【先行技術文献】
【特許文献】
【０００３】
【特許文献１】特許第２６０５５５１号公報
【発明の概要】
【発明が解決しようとする課題】
【０００４】
一般的に、かご室の天蓋には、非常時にかご室内に閉じ込められた乗客を救出するための救出口が設けられている。また、救出口からの救出作業を行う際には、天蓋の一部である救出口蓋が回動されて救出口が開放されるとともに、救出口の真下の照明板が取り外される。このとき、救出口蓋に取り付けられた蛍光灯は、救出口蓋とともに回動されるため、救出口に干渉しない。
【０００５】
しかし、救出口蓋に隣接する位置に配置された蛍光灯の一部が、救出口の真下の領域内に突出している場合がある。この場合、その蛍光灯を天蓋から取り外し、乗客を救出するためのスペースを確保する必要があり、救出作業及び復帰作業に時間がかかる。
【０００６】
これに対して、救出口の大きさを小さくすると、救出作業が困難になるため、救出口の大きさは一定以上の寸法を確保する必要がある。また、救出口に隣接する蛍光灯を救出口の真下の領域から予め外して配置すると、かご室内で均等な照明光を得られなくなることがある。
【０００７】
この発明は、上記のような課題を解決するためになされたものであり、天蓋の救出口を開放した際に、照明ユニットを救出口の真下の領域外へ容易に退避させることができるエレベータのかご室及びかご室照明装置を得ることを目的とする。
【課題を解決するための手段】
【０００８】
この発明に係るエレベータのかご室照明装置は、天蓋に固定される取付台、及び取付台に取り付けられる照明ユニットを備え、照明ユニットは、ユニット取付ネジにより取付台に取り付けられる基板と、基板に取り付けられている複数のＬＥＤ照明とを有しており、基板には、ユニット取付ネジを通すダルマ孔が設けられており、照明ユニットは、ユニット取付ネジを緩めてダルマ孔からユニット取付ネジを抜くことにより取付台から取り外し可能になっている。
【発明の効果】
【０００９】
この発明のエレベータのかご室照明装置は、照明ユニットが基板にＬＥＤ照明を取り付けた構造であり、かつユニット取付ネジを緩めるだけで天蓋から取り外し可能になっているので、照明ユニットのハンドリングが容易であり、救出口を開放した際に、照明ユニットを救出口の真下の領域外へ容易に退避させることができる。
【図面の簡単な説明】
【００１０】
【図１】この発明の実施の形態１によるエレベータ装置を示す側面図である。
【図２】図１のかご室を示す平面図である。
【図３】図２のＩＩＩ−ＩＩＩ線に沿う断面図である。
【図４】図３の救出口を開放した状態を示す断面図である。
【図５】図３の救出口干渉照明ユニット付近を拡大して示す断面図である。
【図６】図５の救出口干渉照明ユニットを下から見た図である。
【図７】図５の取付台を示す斜視図である。
【図８】この発明の実施の形態２によるかご室照明装置の要部を示す側面図である。
【図９】図８の救出口干渉照明ユニットを救出口の真下の領域外へ退避させた状態を示す側面図である。
【図１０】図８の救出口干渉照明ユニットを下から見た図である。
【図１１】この発明の実施の形態３によるかご室照明装置の要部を示す側面図である。
【図１２】図１１の救出口干渉照明ユニットを救出口の真下の領域外へ退避させた状態を示す側面図である。
【図１３】図１１の救出口干渉照明ユニットを下から見た図である。
【発明を実施するための形態】
【００１１】
以下、この発明を実施するための形態について、図面を参照して説明する。
実施の形態１．
図１はこの発明の実施の形態１によるエレベータ装置を示す側面図である。図において、昇降路１の上部には、機械室２が設けられている。機械室２内には、機械台３が設置されている。機械台３上には、巻上機４が支持されている。巻上機４は、駆動シーブ５及び巻上機本体６を有している。巻上機本体６は、駆動シーブ５を回転させる巻上機モータと、駆動シーブ５の回転を制動する巻上機ブレーキとを有している。
【００１２】
機械台３には、そらせ車７が取り付けられている。駆動シーブ５及びそらせ車７には、懸架手段８が巻き掛けられている。懸架手段８としては、例えば、複数本のロープ又は複数本のベルトが用いられている。
【００１３】
懸架手段８の第１の端部には、かご９が接続されている。懸架手段８の第２の端部には、釣合おもり１０が接続されている。かご９及び釣合おもり１０は、懸架手段８により昇降路１内に吊り下げられており、巻上機４により昇降される。
【００１４】
昇降路１内には、かご９の昇降を案内する一対のかごガイドレール１１と、釣合おもり１０の昇降を案内する一対の釣合おもりガイドレール１２とが設置されている。
【００１５】
かご９は、懸架手段８が接続されたかご枠１３と、かご枠１３に支持されているかご室１４とを有している。
【００１６】
図２は図１のかご室１４を示す平面図、図３は図２のＩＩＩ−ＩＩＩ線に沿う断面図である。かご室１４は、乗客を収容するかご室本体１５と、かご室本体１５の上部に設けられている天蓋１６と、天蓋１６に取り付けられているかご室照明装置１７とを有している。
【００１７】
天蓋１６は、非常時に乗客を救出するための救出口１８ａが設けられている天蓋本体１８と、救出口１８ａを開閉する救出口蓋１９とを有している。この例では、救出口１８ａは、天蓋本体１８の１つの隅部の近傍に設けられている。
【００１８】
また、救出口蓋１９は、一対のヒンジ２０を介して天蓋本体１８に接続されている。これにより、救出口蓋１９は、天蓋本体１８に対して、水平な軸を中心として回動可能となっている。救出口１８ａは、救出口蓋１９を天蓋本体１８に対して上側へ回動させることにより開放される。
【００１９】
かご室照明装置１７は、複数個（この例では９個）の照明ユニット２１と、照明ユニット２１と天蓋１６の下面との間に介在されている複数個（この例では９個）の取付台２２と、天蓋１６からかご室本体１５内に吊り下げられている複数の吊り板２３と、吊り板２３により支持されている目地部材２４と、目地部材２４により照明ユニット２１の下方に水平に支持されている複数の照明板２５とを有している。
【００２０】
照明ユニット２１は、かご室本体１５内で均等な照明光が得られるように、互いに等間隔でマトリクス状に整列されて配置されている。また、各照明ユニット２１は、２本（図３では１本のみ示す）のユニット取付ネジ２６により、対応する取付台２２に取り付けられている。即ち、照明ユニット２１は、取付台２２を介して天蓋１６に対して固定されている。
【００２１】
また、この例では、図１に示すように、照明ユニット２１のうち、３個の照明ユニット２１が救出口１８ａの真下の領域内に部分的に突出した救出口干渉照明ユニット２１Ａである。
【００２２】
図４は図３の救出口１８ａを開放した状態を示す断面図である。救出口１８ａを開放して救出作業を実施する際には、救出口１８ａの真下に位置する照明板２５が目地部材２４から取り外され、救出口１８ａの真下の領域から取り除かれる。
【００２３】
また、救出作業を実施する際には、救出口干渉照明ユニット２１Ａが天蓋１６から取り外され、救出口１８ａの真下の領域外へ退避される。この例では、ユニット取付ネジ２６を緩めるだけで、ユニット取付ネジ２６を取付台２２から取り外すことなく、救出口干渉照明ユニット２１Ａを天蓋１６から取り外すことができるようになっている。
【００２４】
図５は図３の救出口干渉照明ユニット２１Ａ付近を拡大して示す断面図、図６は図５の救出口干渉照明ユニット２１Ａを下から見た図、図７は図５の取付台２２を示す斜視図である。取付台２２は、断面ハット形の金具であり、例えばアルミニウム合金等の金属板を折り曲げて構成されている。また、取付台２２は、天蓋１６の下面に当接される一対の平板状の天蓋当接部２２ａと、救出口干渉照明ユニット２１Ａが取り付けられる平板状のユニット取付部２２ｂとを有している。
【００２５】
各天蓋当接部２２ａには、リベット又はネジ等の固定具２７により天蓋１６に固定されている。ユニット取付部２２ｂには、ユニット取付ネジ２６が螺着される一対のネジ孔２２ｃが設けられている。
【００２６】
救出口干渉照明ユニット２１Ａは、取付台２２に取り付けられる基板３１と、基板３１に取り付けられている複数のＬＥＤ（Light-Emitting Diode）照明３２と、ＬＥＤ照明３２に接続された複数のリード線３３と、リード線３３を外部配線に接続する接続コネクタ３４とを有している。
【００２７】
基板３１の平面形状は、正方形の四隅を切除した八角形である。基板３１の中央には、ユニット取付ネジ２６を通す一対のダルマ孔３１ａが設けられている。救出口干渉照明ユニット２１Ａは、ユニット取付ネジ２６を緩めて、基板３１を水平方向へ僅かにスライドさせ、ダルマ孔３１ａからユニット取付ネジ２６を抜くことにより、取付台２２から取り外し可能になっている。
【００２８】
ＬＥＤ照明３２は、同一円周上に互いに間隔をおいて配置されており、１個の円形蛍光灯に相当する働きをする。また、ＬＥＤ照明３２は、ネジ又はクリップ等の固定具により基板３１に固定されている。さらに、各ＬＥＤ照明３２としては、広角配光タイプのものが用いられている。
【００２９】
なお、実施の形態１では、救出口干渉照明ユニット２１Ａ以外の照明ユニット２１も、救出口干渉照明ユニット２１Ａと同様に構成されており、同様の取付構造により取付台２２に取り付けられている。
【００３０】
このようなエレベータのかご室１４及びかご室照明装置１７では、救出口干渉照明ユニット２１Ａが基板３１にＬＥＤ照明３２を取り付けた構造であるため、救出口干渉照明ユニット２１Ａの外形がコンパクトであり、また落とした際に割れる可能性も低く、救出口干渉照明ユニット２１Ａのハンドリングが容易である。
【００３１】
しかも、ユニット取付ネジ２６を緩めるだけで、救出口干渉照明ユニット２１Ａを取付台２２及び天蓋１６から取り外すことができるので、救出口１８ａを開放した際に、救出口干渉照明ユニット２１Ａを救出口１８ａの真下の領域外へ容易に退避させることができる。これにより、十分な大きさの救出口１８ａを確保して救出時の作業性を向上させつつ、かご室１４内で均等な照明光を得ることができる。
【００３２】
また、基板３１にダルマ孔３１ａを設けたので、簡単な構造で、基板３１を取付台２２から容易に取り外すことができる。
【００３３】
さらに、全ての照明ユニット２１を救出口干渉照明ユニット２１Ａと同様の構成としたので、部品を共通化することができ、据付性も向上させることができる。また、救出口干渉照明ユニット２１Ａ以外の照明ユニット２１も取付台２２から容易に取り外すことができ、照明ユニット２１の保守点検及びＬＥＤ照明３２の交換を容易に行うことができる。
【００３４】
なお、実施の形態１では、基板３１にダルマ孔３１ａを設けたが、ダルマ孔３１ａの代わりに、救出口１８ａとは反対側の縁部まで連続したスリットを基板に設けてもよい。この場合、スリットの幅寸法は、ユニット取付ネジ２６の頭の径よりも小さくする。また、照明ユニット２１を取付台２２から取り外す際には、ユニット取付ネジ２６を緩めて、ユニット取付ネジ２６がスリットの端部から抜けるまで基板３１を水平方向へスライドさせる。
また、ユニット取付ネジ２６の数は、１つ又は３つ以上であってもよい。これに伴って、ダルマ孔３１ａの数も、１つ又は３つ以上であってもよい。
【００３５】
実施の形態２．
次に、図８はこの発明の実施の形態２によるかご室照明装置１７の要部を示す側面図、図９は図８の救出口干渉照明ユニット２１Ａを救出口１８ａの真下の領域外へ退避させた状態を示す側面図、図１０は図８の救出口干渉照明ユニット２１Ａを下から見た図である。
【００３６】
実施の形態２の基板３１には、実施の形態１のダルマ孔３１ａの代わりに、ユニット取付ネジ２６を通す互いに平行な一対の長孔３１ｂが設けられている。救出口干渉照明ユニット２１Ａは、ユニット取付ネジ２６を緩めることにより、取付台２２に取り付けられた状態のまま、長孔３１ｂに沿って水平方向へスライド可能となる。
【００３７】
これにより、実施の形態２の救出口干渉照明ユニット２１Ａは、救出口１８ａの真下の領域内に突出した通常位置（図８）と、領域外に退避した退避位置（図９）との間で水平方向へスライド可能になっている。このため、長孔３１ｂは、救出口１８ａに対する救出口干渉照明ユニット２１Ａの位置に応じて、基板３１を通常位置から退避位置へスライドさせる方向に沿って配置されている。他の構成は、実施の形態１と同様である。
【００３８】
このようなエレベータのかご室１４及びかご室照明装置１７では、救出口干渉照明ユニット２１Ａが基板３１にＬＥＤ照明３２を取り付けた構造であるため、救出口干渉照明ユニット２１Ａの外形がコンパクトであり、また落とした際に割れる可能性も低く、救出口干渉照明ユニット２１Ａのハンドリングが容易である。
【００３９】
しかも、基板３１が、取付台２２に取り付けられた状態のまま水平方向へスライド可能になっているので、救出口１８ａを開放した際に、救出口干渉照明ユニット２１Ａを救出口１８ａの真下の領域外へ容易に退避させることができる。これにより、十分な大きさの救出口１８ａを確保して救出時の作業性を向上させつつ、かご室１４内で均等な照明光を得ることができる。
【００４０】
また、基板３１に長孔３１ｂを設けたので、簡単な構造で、基板３１を退避位置へスライドさせることができる。
【００４１】
なお、実施の形態２でも、救出口干渉照明ユニット２１Ａ以外の照明ユニット２１を、救出口干渉照明ユニット２１Ａと同様の構成とし、同様の取付構造により取付台２２に取り付けてもよい。これにより、部品を共通化することができ、据付性も向上させることができる。
また、ユニット取付ネジ２６の数は、１つ又は３つ以上であってもよい。これに伴って、長孔３１ｂの数も、１つ又は３つ以上であってもよい。
【００４２】
実施の形態３．
次に、図１１はこの発明の実施の形態３によるかご室照明装置１７の要部を示す側面図、図１２は図１１の救出口干渉照明ユニット２１Ａを救出口１８ａの真下の領域外へ退避させた状態を示す側面図、図１３は図１１の救出口干渉照明ユニット２１Ａを下から見た図である。
【００４３】
基板３１は、第１及び第２のユニット取付ネジ２６ａ，２６ｂにより取付台２２に取り付けられている。実施の形態３の基板３１は、基板主部３５と、基板主部３５に回動可能に連結されている基板回動部３６とを有している。基板回動部３６は、水平な回動軸を持つ一対のヒンジ３７を介して基板主部３５に連結されている。
【００４４】
基板回動部３６は、救出口干渉照明ユニット２１Ａの救出口１８ａの真下の領域に突出した部分に対応している。即ち、通常時には、基板回動部３６は、救出口１８ａの真下の領域内に配置されている。
【００４５】
基板主部３５には、第１のユニット取付ネジ２６ａを通す長孔３５ａが設けられている。基板回動部３６には、第２のユニット取付ネジ２６ｂを通すダルマ孔３６ａが設けられている。基板回動部３６は、通常時には、保持具としての第２のユニット取付ネジ２６ｂにより、救出口１８ａの真下の領域内で水平に保持されている。
【００４６】
また、基板回動部３６は、第２のユニット取付ネジ２６ｂによる保持を解除することにより、水平な通常位置（図１１）と、基板主部３５に対して直角な退避位置（図１２）との間で、基板主部３５に対して回動可能となる。
【００４７】
救出作業時には、第１及び第２のユニット取付ネジ２６ａ，２６ｂを緩めて、基板３１全体を長孔３５ａに沿って水平方向（図１３の上方）へ僅かにスライドさせ、ダルマ孔３６ａから第２のユニット取付ネジ２６ｂを抜く。これにより、基板回動部３６は、自重により下側へ回動し（倒れ）、退避位置に変位される。この結果、救出口干渉照明ユニット２１Ａは、救出口１８ａの真下の領域外に退避されることになる。
【００４８】
このようなエレベータのかご室１４及びかご室照明装置１７では、救出口干渉照明ユニット２１Ａが基板３１にＬＥＤ照明３２を取り付けた構造であるため、救出口干渉照明ユニット２１Ａの外形がコンパクトであり、また落とした際に割れる可能性も低く、救出口干渉照明ユニット２１Ａのハンドリングが容易である。
【００４９】
しかも、基板３１が、基板主部３５と基板回動部３６とに分割されており、基板主部３５に対して基板回動部３６を回動させることにより、救出口干渉照明ユニット２１Ａが救出口１８ａの真下の領域外に退避されるので、救出口１８ａを開放した際に、救出口干渉照明ユニット２１Ａを救出口１８ａの真下の領域外へ容易に退避させることができる。これにより、十分な大きさの救出口１８ａを確保して救出時の作業性を向上させつつ、かご室１４内で均等な照明光を得ることができる。
【００５０】
また、かご室１４のサイズによって照明ユニット２１同士の間隔が小さい場合にも、救出口干渉照明ユニット２１Ａを救出口１８ａの真下の領域外へ退避させることができ、製品の仕様対応力が向上する。
【００５１】
さらに、基板主部３５に長孔３５ａを設け、基板回動部３６にダルマ孔３６ａを設けたので、簡単な構造で、基板回動部３６を退避位置へ回動させることができる。
【００５２】
なお、実施の形態１〜３では、全ての救出口干渉照明ユニット２１Ａを救出口１８ａの真下の領域外へ退避させるようにしたが、必ずしも全ての救出口干渉照明ユニット２１Ａにこの発明の構成を適用しなくてもよい。例えば、領域内への突出量がごく僅かな場合、及び救出口１８ａの隅部の真下のみに突出している場合など、救出作業の障害とならないと判断される救出口干渉照明ユニット２１Ａは、救出作業時に動かさなくてもよい。
【００５３】
また、照明ユニット２１の配置及び個数は、図２の例に限定されない。
さらに、基板３１内でのＬＥＤ照明３２の配置及び個数も、図６、１０、１３に限定されるものではない。
さらにまた、実施の形態１〜３では、取付台２２を介して基板３１を天蓋１６に固定したが、他の部材を介して取り付けたり、天蓋１６に直接取り付けたりしてもよい。
また、エレベータ全体の機器のレイアウト及びローピング方式等は、図１の例に限定されるものではない。
さらに、この発明は、例えば機械室レスエレベータ、ダブルデッキエレベータ、又はワンシャフトマルチカー方式のエレベータなど、種々のタイプのエレベータのかご室及びかご室照明装置に適用できる。
【符号の説明】
【００５４】
１４  かご室、１５  かご室本体、１６  天蓋、１７  かご室照明装置、１８ａ  救出口、２１  照明ユニット、２１Ａ  救出口干渉照明ユニット、２２  取付台、２６  ユニット取付ネジ、２６ａ  第１のユニット取付ネジ、２６ｂ  第２のユニット取付ネジ、３１  基板、３１ａ  ダルマ孔、３１ｂ  長孔、３２  ＬＥＤ照明、３５  基板主部、３５ａ  長孔、３６  基板回動部、３６ａ  ダルマ孔。
【図１】
2014234291.tif 000003
【図２】
2014234291.tif 000004
【図３】
2014234291.tif 000005
【図４】
2014234291.tif 000006
【図５】
2014234291.tif 000007
【図６】
2014234291.tif 000008
【図７】
2014234291.tif 000009
【図８】
2014234291.tif 000010
【図９】
2014234291.tif 000011
【図１０】
2014234291.tif 000012
【図１１】
2014234291.tif 000013
【図１２】
2014234291.tif 000014
【図１３】
2014234291.tif 000015